(57)【要約】【課題】  専用の部品を必要とせずに、既設のエレベータに適用可能なエレベータ敷居溝清掃装置を提供すること。【解決手段】  実施形態に係るエレベータ敷居溝清掃装置は、ドアパネルの下部に取り付けられるドアガイドシューの取付面に重ねて前記ドアパネルに共締めされ、短手側の一端が敷居溝に向けて突出した形状の固定部材と、固定部材の突出部から敷居溝に沿って設けられるブラシ固定部と、ブラシ固定部に固定されるブラシとを具備し、固定部材の突出部は、ドアガイドシューの取付面から敷居溝に延出したガイド部との間に所定の間隙を有する。【選択図】      図１
2018008795.tif 000002
【特許請求の範囲】
【請求項１】
ドアパネルの下部に取り付けられるドアガイドシューの取付面に重ねて前記ドアパネルに共締めされ、短手側の一端が敷居溝に向けて突出した形状の固定部材と、
前記固定部材の突出部から前記敷居溝に沿って設けられるブラシ固定部と、
前記ブラシ固定部に固定されるブラシと
を具備し、
前記固定部材の突出部は、前記ドアガイドシューの取付面から前記敷居溝に延出したガイド部との間に所定の間隙を有することを特徴とするエレベータ敷居溝清掃装置。
【請求項２】
前記ブラシ固定部は、円弧状にかしめられて前記ブラシを固定することを特徴とする請求項１に記載のエレベータ敷居溝清掃装置。
【請求項３】
前記ブラシ固定部は、両端部に余剰空間であるかしめ代を有することを特徴とする請求項１に記載のエレベータ敷居溝清掃装置。
【請求項４】
前記固定部材は、前記ドアパネルに設けられたネジ穴よりも大きな取付穴を有することを特徴とする請求項１に記載のエレベータ敷居溝清掃装置。
【請求項５】
前記固定部材は、表裏を判別可能な印を有することを特徴とする請求項１に記載のエレベータ敷居溝清掃装置。
【発明の詳細な説明】
【技術分野】
【０００１】
本発明の実施形態は、エレベータ敷居溝清掃装置に関する。
【背景技術】
【０００２】
一般的に、エレベータの敷居溝にゴミ等の異物が入ると、ドアパネルの下部に設けられるドアガイドシューの動きが当該異物によって阻害され、戸開不良が生じてしまう。このため、ドアパネルの下部には、敷居溝内を摺動する清掃ブラシが設けられる。
【０００３】
このような清掃ブラシとしては、例えば、ドアガイドシューをドアに固定する固定金具と、複数のブラシが取り付けられた取付金具とが一体に構成された清掃ブラシが開発されている。
【先行技術文献】
【特許文献】
【０００４】
【特許文献１】特許第５３２４８６０号公報
【発明の概要】
【発明が解決しようとする課題】
【０００５】
しかしながら、前述した清掃ブラシを設けるためには、ドアガイドシューも含めて専用の部品にする必要があり、大きさや形状の都合上、既設のエレベータへの展開が困難であるという不都合がある。
【０００６】
本発明が解決しようとする課題は、専用の部品を必要とせずに、既設のエレベータに適用可能なエレベータ敷居溝清掃装置を提供することである。
【課題を解決するための手段】
【０００７】
実施形態に係るエレベータ敷居溝清掃装置は、ドアパネルの下部に取り付けられるドアガイドシューの取付面に重ねて前記ドアパネルに共締めされ、短手側の一端が敷居溝に向けて突出した形状の固定部材と、前記固定部材の突出部から前記敷居溝に沿って設けられるブラシ固定部と、前記ブラシ固定部に固定されるブラシとを具備し、前記固定部材の突出部は、前記ドアガイドシューの取付面から前記敷居溝に延出したガイド部との間に所定の間隙を有する。
【図面の簡単な説明】
【０００８】
【図１】図１は、一実施形態に係るエレベータ敷居溝清掃装置をドアパネルに設置したときの態様を示す図である。
【図２】図２は、同実施形態に係るエレベータ敷居溝清掃装置、ドアガイドシュー及びドアパネルを個別に示す図である。
【図３】図３は、同実施形態に係るエレベータ敷居溝清掃装置とドアガイドシューとの間に設けられる間隙を説明するための図である。
【図４】図４は、同実施形態に係るエレベータ敷居溝清掃装置のおもて面を示す図である。
【図５】図５は、同実施形態に係るエレベータ敷居溝清掃装置の裏面を示す図である。
【図６】図６は、同実施形態に係るエレベータ敷居溝清掃装置に含まれるブラシ固定部を敷居溝側から見た図である。
【図７】図７は、同実施形態に係るエレベータ敷居溝清掃装置に含まれる清掃ブラシを示す図である。
【図８】図８は、同実施形態に係る清掃ブラシを敷居溝側から見た図である。
【図９】図９は、同実施形態に係るブラシ固定部を斜めから見た斜視図である。
【発明を実施するための形態】
【０００９】
以下、図面を参照して実施形態を説明する。  
図１は、一実施形態に係るエレベータ敷居溝清掃装置をドアパネルに設置したときの態様を示す図であり、図２は、エレベータ敷居溝清掃装置、ドアガイドシュー及びドアパネルを個別に示す図である。エレベータのドアパネル１は敷居１１の上方に設置される。このドアパネル１の下部には、図１に示すように、ドアパネル１の移動を案内するドアガイドシュー２と、敷居１１の溝（以下、「敷居溝」と表記する）１２を清掃するエレベータ敷居溝清掃装置３とが設けられる。ドアパネル１の下部には、図２に示すように、ドアガイドシュー２を取り付けるための２つのネジ穴１ａが形成される。なお、ドアパネル１に形成されるネジ穴１ａの数はこれに限定されず、任意の数だけ形成されて構わない。
【００１０】
ドアガイドシュー２は、図１に示すように、ドアパネル１に取り付けるための取付面２ａと、ドアパネル１の移動を案内するためのガイド部２ｂとを備えている。ガイド部２ｂは、図１に示すように、取付面２ａから敷居溝１２に延出し、敷居溝１２内に挿入される。なお、ガイド部２ｂの形状は、図１に示す形状に限定されず、例えば直方体など、任意の形状であって構わない。
【００１１】
取付面２ａには、図２に示すように、ドアパネル１の２つのネジ穴１ａに対応するようにして２つの取付穴２ｃが形成される。この２つの取付穴２ｃにボルト（固定ネジ）１３を通し、ドアパネル１のネジ穴１ａにボルト締めすることにより、ドアガイドシュー２はドアパネル１に固定される。なお、取付面２ａのおもて面には、図２に示すように、おもて面であることを示す刻印２ｄが刻まれる。
【００１２】
ここで、図１及び図２に加えて、図３〜図５を参照して、エレベータ敷居溝清掃装置３について説明する。図３は、エレベータ敷居溝清掃装置３の特徴を補足的に説明するための図であり、図４は、エレベータ敷居溝清掃装置３のおもて面を示す図であって、図５は、エレベータ敷居溝清掃装置３の裏面を示す図である。
【００１３】
エレベータ敷居溝清掃装置３は、図１に示すように、固定金具４、ブラシ固定部５及び清掃ブラシ６を備えている。固定金具４は、ドアガイドシュー２の取付面２ａに重ねてドアパネル１に共締めされる。このため、固定金具４には、図２に示すように、ドアガイドシュー２の取付穴２ｃ及びドアパネル１のネジ穴１ａに対応するようにして２つの取付穴４ａが形成されている。なお、固定金具４に形成される２つの取付穴４ａは、既設のエレベータにエレベータ敷居溝清掃装置３を取り付けた際に行われる位置調整作業のために、ドアパネル１のネジ穴１ａやドアガイドシュー２の取付穴２ｃよりも大きな長穴である方が好ましい。これによれば、既設のエレベータにエレベータ敷居溝清掃装置３を取り付けた際の位置調整作業時に、高さを調整することができるようになるので、エレベータ敷居溝清掃装置３を種々様々な型のエレベータに適用することができるようになる。
【００１４】
これら２つの取付穴４ａにボルトを通し、ドアパネル１のネジ穴１ａにドアガイドシュー２と共締めすることによって、エレベータ敷居溝清掃装置３はドアパネル１に固定される。つまり、エレベータ敷居溝清掃装置３は、既設のエレベータに元々取り付けられていたドアパネル１とドアガイドシュー２とに一般的に形成されているネジ穴１ａ及び取付穴２ｃを利用して取り付けることができるので、専用の部品などを必要とせずに、既設のエレベータに適用することができる。なお、固定金具４のおもて面には、図２に示すように、ドアガイドシュー２のおもて面と同様に、おもて面であることを示す刻印４ｂが刻まれている。
【００１５】
固定金具４は、図１に示すように、敷居溝１２に沿って設けられ、短手側の一端が敷居溝１２に向けて突出した鍵状（先端部が敷居溝１２内に屈曲した形状）に形成される。この敷居溝１２内に屈曲した先端部（突出部）と、ドアガイドシュー２のガイド部２ｂとの間には、図３に示すように、所定の間隙（空間）Ｓが設けられる。なお、前述したように、固定金具４は敷居溝１２に沿って設けられるので、突出部を有する短手側と対向するもう一方の短手側にも、同様な所定の間隙Ｓが設けられる。この間隙Ｓによれば、エレベータ敷居溝清掃装置３をドアガイドシュー２と共にドアパネル１に固定した際に行われる位置調整作業であって、エレベータ敷居溝清掃装置３よりも奥側（ドアパネル１側）に位置するドアガイドシュー２の位置調整作業を容易に行うことができる。より詳しくは、この間隙Ｓが設けられることで、位置調整作業を行う際の作業空間が確保されるため、作業員は当該位置調整作業を容易に行うことができるようになる。
【００１６】
敷居溝１２内に屈曲した固定金具４の先端部には、図１に示すように、ブラシ固定部５が設けられる。つまり、ブラシ固定部５は敷居溝１２内に設けられる。このように、ブラシ固定部５が敷居溝１２内に設けられることで、清掃ブラシ６がドアパネル１に干渉してしまう恐れを低減させることができる。
【００１７】
ブラシ固定部５は、開口部が敷居溝１２と対向したＵ字（コの字）形状に形成され、Ｕ字の開口にて清掃ブラシ６を挟持して固定する。このＵ字形状のブラシ固定部５において、図４及び図５に示すように、対向する２つの面（清掃ブラシ６を挟み込む２つの面）５ａ，５ｂのうちの一方の面５ｂは、清掃ブラシ６を固定する際に円弧状にかしめられる。具体的には、図６に示すように、面５ｂは、かしめ稜線Ａの両端を強く絞り、全体として円弧状になるようにかしめられる。なお、面５ｂを円弧状にすることで得られる利点については後述するため、ここではその詳しい説明を省略する。
【００１８】
なお、本実施形態では説明の便宜上、固定金具４とブラシ固定部５とを分けて説明しているが、実際には、固定金具４及びブラシ固定部５は一体に形成される。
【００１９】
次に、図７を参照して、エレベータ敷居溝清掃装置３に含まれる清掃ブラシ６について説明する。図７は、ブラシ固定部５に固定する前の清掃ブラシ６を示す図である。清掃ブラシ６は、図７に示すように、チャンネル材６ａ及び多数の毛材６ｂを備えている。各毛材６ｂは、チャンネル材６ａの内部にて芯線（換言すると、コの字形状のチャンネル材６ａの３つの面のうち、チャンネル材６ａの開口部に対向する面の中心）を基準に折り返すように構成され、チャンネル材６ａの両側面（換言すると、コの字形状のチャンネル材６ａの３つの面のうち、対向する２つの面）をかしめて固定される。
【００２０】
なお、チャンネル材６ａの両側面の両端部には閉加工が施される。閉加工とは、チャンネル材６ａの両側面の両端部を、両側面の中央部分よりも強く絞り、両端部を閉じる加工であり、この加工が施されることで、毛材６ｂがチャンネル材６ａから抜け落ちるのを防ぐことができる。なお、前述したように、チャンネル材６ａの両側面の両端部には閉加工が施されるので、チャンネル材６ａの両側面は円弧状である。
【００２１】
ここで、図８を参照して、ブラシ固定部５を円弧状にかしめることで得られる利点について説明する。図８は、清掃ブラシ６を敷居溝側から見た図である。なお、図８では、かしめ力が大きい程、かしめ力を示す矢印の長さが長いものとする。同様に、図８では、開きが大きい程、開きを示す矢印の長さが長いものとする。
【００２２】
清掃ブラシ６をブラシ固定部５に固定する際に、例えば図８（ａ）に示すように、ブラシ固定部５を円弧状にかしめて固定しない場合、清掃ブラシ６の両側面には一様なかしめ力Ｂが作用することになる。前述したように、清掃ブラシ６のチャンネル材６ａの両側面の両端部には閉加工が施され、チャンネル材６ａの両側面は円弧状になっているので、一様なかしめ力Ｂが作用すると、図８（ａ）に示すように、チャンネル材６ａの両側面の両端部に開きＣが生じてしまう。特に、ブラシ固定部５及び清掃ブラシ６は、敷居溝１２に設ける都合上あまり大きくすることができないので、一様なかしめ力Ｂが作用してしまうと、大きな開きＣが生じてしまう。つまり、チャンネル材６ａの両側面の両端部に閉加工が施されることによって得られる利点を得ることができなくなってしまい、毛材６ｂがチャンネル材６ａから抜け落ちやすくなってしまう。
【００２３】
一方、清掃ブラシ６をブラシ固定部５に固定する際に、ブラシ固定部５を円弧状にかしめて固定する場合、図８（ｂ）に示すように、清掃ブラシ６の両側面に一様なかしめ力Ｂが作用することを防ぐことができ、チャンネル材６ａの両側面の両端部に生じる開きＣを小さくすることができる。つまり、毛材６ｂがチャンネル材６ａから抜け落ちるのを防ぐことができる。
【００２４】
なお、本実施形態では、ブラシ固定部５を円弧状にかしめて清掃ブラシ６を固定する場合について説明したが、これに限定されず、ブラシ固定部５はスロット式であっても良い。これによれば、清掃ブラシ６単体での交換が可能となる。
【００２５】
以上説明した一実施形態によれば、エレベータ敷居溝清掃装置３は、ドアパネル１とドアガイドシュー２とに一般的に形成されるネジ穴１ａ及び取付穴２ｃを利用して、ドアガイドシュー２と共にドアパネル１に共締めすれば設置可能であるので、専用の部品を必要とせずに、既設のエレベータに幅広く適用することができる。
【００２６】
また、本実施形態に係るエレベータ敷居溝清掃装置３は、短手側の一端が敷居溝１２に向けて突出した鍵状の固定金具４を有しているので、固定金具４の先端部と、ドアガイドシュー２のガイド部２ｂとの間には、所定の間隙Ｓが設けられる。これによれば、所定の間隙Ｓが、エレベータ敷居溝清掃装置３を取り付ける際に作業員が作業する作業空間となり得るので、作業員はエレベータ敷居溝清掃装置３を容易に取り付けることができる。
【００２７】
さらに、本実施形態に係るエレベータ敷居溝清掃装置３は、円弧状にかしめられたブラシ固定部５を有しているので、清掃ブラシ６に施された閉加工に開きが生じず、清掃ブラシ６の毛材６ｂの抜け落ちを防ぐことができる。
【００２８】
なお、ブラシ固定部５の両端部には、図９に示すように、かしめ代５ｃが設けられても良い。かしめ代５ｃとは、ブラシ固定部５をかしめる際に利用される余剰空間である。図９（ｂ）に示すように、ブラシ固定部５の両端部にかしめ代５ｃを設けることで、図９（ａ）に示すように、ブラシ固定部５の両端部にかしめ代５ｃが設けられていない場合に比べて、ブラシ固定部５を円弧状にかしめる際の加工性（かしめ加工性）を向上させることができる。
【００２９】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
１…ドアパネル、２…ドアガイドシュー、２ａ…取付面、２ｂ…ガイド部、３…エレベータ敷居溝清掃装置、４…固定金具、５…ブラシ固定部、６…清掃ブラシ、１１…敷居、１２…敷居溝、１３…ボルト、Ａ…かしめ稜線、Ｂ…かしめ力、Ｃ…開き、Ｓ…間隙。
【図１】
2018008795.tif 000003
【図２】
2018008795.tif 000004
【図３】
2018008795.tif 000005
【図４】
2018008795.tif 000006
【図５】
2018008795.tif 000007
【図６】
2018008795.tif 000008
【図７】
2018008795.tif 000009
【図８】
2018008795.tif 000010
【図９】
2018008795.tif 000011
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
ドアパネルの下部に取り付けられるドアガイドシューの取付面に重ねて前記ドアパネルに共締めされ、短手側の一端が敷居溝に向けて突出した形状の固定部材と、
前記固定部材の突出部から前記敷居溝に沿って設けられるブラシ固定部と、
前記ブラシ固定部に固定されるブラシと
を具備し、
前記固定部材の突出部は、前記ドアガイドシューの取付面から前記敷居溝に延出したガイド部との間に所定の間隙を有し、
前記ブラシ固定部は、前記敷居溝内に設けられることを特徴とするエレベータ敷居溝清掃装置。
【請求項２】
前記ブラシ固定部は、円弧状にかしめられて前記ブラシを固定することを特徴とする請求項１に記載のエレベータ敷居溝清掃装置。
【請求項３】
前記ブラシ固定部は、両端部に余剰空間であるかしめ代を有することを特徴とする請求項１に記載のエレベータ敷居溝清掃装置。
【請求項４】
前記固定部材は、前記ドアパネルに設けられたネジ穴よりも大きな取付穴を有することを特徴とする請求項１に記載のエレベータ敷居溝清掃装置。
【請求項５】
前記固定部材は、表裏を判別可能な印を有することを特徴とする請求項１に記載のエレベータ敷居溝清掃装置。
【手続補正２】
【補正対象書類名】明細書
【補正対象項目名】０００７
【補正方法】変更
【補正の内容】
【０００７】
実施形態に係るエレベータ敷居溝清掃装置は、ドアパネルの下部に取り付けられるドアガイドシューの取付面に重ねて前記ドアパネルに共締めされ、短手側の一端が敷居溝に向けて突出した形状の固定部材と、前記固定部材の突出部から前記敷居溝に沿って設けられるブラシ固定部と、前記ブラシ固定部に固定されるブラシとを具備し、前記固定部材の突出部は、前記ドアガイドシューの取付面から前記敷居溝に延出したガイド部との間に所定の間隙を有し、前記ブラシ固定部は、前記敷居溝内に設けられる。